【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
モバイルデバイスの間の通信の方法であって、
複数のモバイルデバイスに共通のネットワーク・アドバタイズメント・プロトコルを介して、第１の発見メッセージを、第１のモバイルデバイスによって、受信することと、そこにおいて、前記第１の発見メッセージは、前記複数のモバイルデバイスのサブセットであるモバイルデバイスクラスタに特有の情報を含む、
および、
前記ネットワーク・アドバタイズメント・プロトコルとは異なる第２のクラスタプロトコルを用いて前記モバイルデバイスクラスタの少なくとも第２のモバイルデバイスと通信するために前記情報を用いることと、
を備え、前記第２のモバイルデバイスと通信することは、前記モバイルデバイスクラスタと関連する追加の情報に関して前記第２のモバイルデバイスに問い合わせること、前記ネットワーク・アドバタイズメント・プロトコルを介して前記モバイルデバイスクラスタに通知する第２の発見メッセージを送信すること、または、それらの組合せを含む、方法。
【請求項２】
前記第２の発見メッセージを送信することは、前記ネットワーク・アドバタイズメント・プロトコルを介して前記第２の発見メッセージを送信するために前記複数のモバイルデバイスの他のデバイスと競合することを含み、前記第２の発見メッセージを送信するために競合することは、
発見インターバルと関連する開始時刻において、前記第２の発見メッセージを送信するために低電力状態からアウェイクすることと、
前記第２の発見メッセージを送信するために前記発見インターバル内でランダムに抽出された時刻を選択することと、
を含む、請求項１に記載の方法。
【請求項３】
前記第１の発見メッセージを受信することに応答して、発見インターバルの間に、前記ネットワーク・アドバタイズメント・プロトコルを介して発見メッセージを送信するために前記複数のモバイルデバイスのうちの他のデバイスと競合することと、
前記モバイルデバイスクラスタのモバイルデバイスが前記モバイルデバイスクラスタと関連する第２の発見メッセージを送信する場合、前記発見インターバルの残りの間競合を停止することと、
前記モバイルデバイスクラスタに含まれない第２のモバイルデバイスクラスタのモバイルデバイスが第３の発見メッセージを送信する場合、前記モバイルデバイスクラスタのモバイルデバイスが発見メッセージを送信するまで、または発見メッセージが前記第１のモバイルデバイスによって送信されるまで、前記発見インターバルの残りの間、競合を継続すること、
をさらに備える、請求項１または２に記載の方法。
【請求項４】
前記ネットワーク・アドバタイズメント・プロトコルを介して第２の発見メッセージを受信することと、そこにおいて、前記第２の発見メッセージは、前記複数のモバイルデバイスの第２のサブセットである第２のモバイルデバイスクラスタに特有の第２の情報を含む、
前記第２のモバイルデバイスクラスタの少なくとも第３のモバイルデバイスと通信するために前記第２の情報を用いることと、
をさらに備える、請求項１に記載の方法。
【請求項５】
前記ネットワーク・アドバタイズメント・プロトコルは、前記第２のクラスタプロトコルと関連する第２の無線チャネルとは異なる第１の無線チャネルと関連し、そこにおいて、前記ネットワーク・アドバタイズメント・プロトコルは、前記第２のクラスタプロトコルと関連する第２のタイミングパラメータとは異なる第１のタイミングパラメータと関連し、そこにおいて、前記第１の発見メッセージは、前記第２の無線チャネルと前記第２のタイミングパラメータを示す、請求項１に記載の方法。
【請求項６】
前記第２のモバイルデバイスと通信することは、
前記第１の発見メッセージを受信することに応答して、前記第１の無線チャネルから前記第２の無線チャネルへ前記第１のモバイルデバイスのトランシーバを合わせることと、
前記第２の無線チャネルを介して前記第２のタイミングパラメータによって決定された時刻に前記第２のモバイルデバイスから第２の発見メッセージを受信し、および前記第２のクラスタプロトコルを用いることと、
を含む、請求項５に記載の方法。
【請求項７】
前記モバイルデバイスクラスタに加わった後、前記第２のクラスタプロトコルを用いて前記モバイルデバイスクラスタと関連する発見インターバルの間に、前記モバイルデバイスクラスタの他のデバイスに前記第１のモバイルデバイスを通知する発見メッセージを送信するために前記モバイルデバイスクラスタの他のデバイスと競合すること
をさらに備える、請求項１に記載の方法。
【請求項８】
モバイルデバイスの間で通信するための装置であって、
複数のモバイルデバイスに共通のネットワーク・アドバタイズメント・プロトコルを介して、第１の発見メッセージを受信するための手段と、そこにおいて、前記第１の発見メッセージは、前記複数のモバイルデバイスのサブセットであるモバイルデバイスクラスタに特有の情報を含む、
前記ネットワーク・アドバタイズメント・プロトコルとは異なる第２のクラスタプロトコルを用いて前記モバイルデバイスクラスタの第２のモバイルデバイスと通信するために前記情報を用いるための手段と、
を備え、前記第２のモバイルデバイスと通信することは、前記モバイルデバイスクラスタと関連する追加の情報に関して前記第２のモバイルデバイスに問い合わせること、前記ネットワーク・アドバタイズメント・プロトコルを介して前記モバイルデバイスクラスタに通知する第２の発見メッセージを送信すること、または、それらの組合せを含む、装置。
【請求項９】
モバイルデバイスの間の通信の方法であって、
複数のモバイルデバイスに共通のネットワーク・アドバタイズメント・プロトコルを介して、第１の発見メッセージを、第１のモバイルデバイスによって、送信することと、そこにおいて、前記第１の発見メッセージは、前記複数のモバイルデバイスのサブセットであるモバイルデバイスクラスタに特有の情報を含む、
および、
前記ネットワーク・アドバタイズメント・プロトコルとは異なる第２のクラスタプロトコルを用いて前記モバイルデバイスクラスタに特有の前記情報に基づいて送信された第２のモバイルデバイスからのメッセージを受信することと、
を備え、前記第２のモバイルデバイスからの前記メッセージは前記モバイルデバイスクラスタと関連する追加の情報に関する問い合わせを含む、方法。
【請求項１０】
前記第１の発見メッセージを送信することは、
発見インターバルの間に、前記ネットワーク・アドバタイズメント・プロトコルを介して発見メッセージを送信するために前記複数のモバイルデバイスのうちの他のデバイスと競合することと、
前記モバイルデバイスクラスタのモバイルデバイスが前記モバイルデバイスクラスタと関連する第２の発見メッセージを送信する場合、前記発見インターバルの残りの間競合を停止することと、
前記モバイルデバイスクラスタに含まれない第２のモバイルデバイスクラスタのモバイルデバイスが第３の発見メッセージを送信する場合、前記発見インターバルの残りの間または前記モバイルデバイスクラスタのモバイルデバイスが発見メッセージを送信するまで競合を継続すること、
を含む、
請求項９に記載の方法。
【請求項１１】
前記ネットワーク・アドバタイズメント・プロトコルを介して第２の発見メッセージを受信することと、そこにおいて、前記第２の発見メッセージは、前記複数のモバイルデバイスの第２のサブセットである第２のモバイルデバイスクラスタに特有の第２の情報を含む、
前記第２のモバイルデバイスクラスタの少なくとも第３のモバイルデバイスと通信するために前記第２の情報を用いること、
をさらに備える、請求項９に記載の方法。
【請求項１２】
前記ネットワーク・アドバタイズメント・プロトコルは、前記第２のクラスタプロトコルと関連する第２の無線チャネルとは異なる第１の無線チャネルと関連し、そこにおいて、前記ネットワーク・アドバタイズメント・プロトコルは、前記第２のクラスタプロトコルと関連する第２のタイミングパラメータとは異なる第１のタイミングパラメータと関連し、そこにおいて、前記第１の発見メッセージは、前記第２の無線チャネルと前記第２のタイミングパラメータを示す、請求項９に記載の方法。
【請求項１３】
前記第１の発見メッセージを送信した後、前記第１の無線チャネルから前記第２の無線チャネルへ前記第１のモバイルデバイスのトランシーバを合わせることと、
前記第２の無線チャネルを介して前記第２のタイミングパラメータによって決定された時刻に第２の発見メッセージを送信し、および、前記第２のクラスタプロトコルを用いることと、
をさらに備える、請求項１２に記載の方法。
【請求項１４】
モバイルデバイスの間で通信するための装置であって、
複数のモバイルデバイスに共通のネットワーク・アドバタイズメント・プロトコルを介して、第１の発見メッセージを送信するための手段と、そこにおいて、前記第１の発見メッセージは、前記複数のモバイルデバイスのサブセットであるモバイルデバイスクラスタに特有の情報を含む、
前記ネットワーク・アドバタイズメント・プロトコルとは異なる第２のクラスタプロトコルを用いて前記モバイルデバイスクラスタに特有の前記情報に基づいて送信された第２のモバイルデバイスからのメッセージを受信するための手段と、
を備え、前記第２のモバイルデバイスからの前記メッセージは前記モバイルデバイスクラスタと関連する追加の情報に関する問い合わせを含む、装置。
【請求項１５】
請求項１〜７または請求項９〜１３のうちの１つに記載の方法のすべてのステップを実施するようにコンピュータ実行可能であるプログラム命令を備えるコンピュータプログラム。
【手続補正２】
【補正対象書類名】明細書
【補正対象項目名】００５８
【補正方法】変更
【補正の内容】
【００５８】
[0058]開示された実施例の前の説明は、開示された実施例を作成または用いることを当業者に可能にするために提供される。これらの実施例への様々な変更は、当業者にとって容易に明らかであり、ここで定義された原則は、本開示の範囲から逸脱することなく他の実施例に適用され得る。従って、本開示は、ここに示された実施例に限定されることを意図するものではないが、下記の請求項によって定義されるような原則および新規の特徴と一致可能なもっとも広い範囲に許可されるものである。
以下に、本願出願の当初の特許請求の範囲に記載された発明を付記する。
［Ｃ１］
モバイルデバイスの間の通信の方法であって、
複数のモバイルデバイスに共通のネットワーク・アドバタイズメント・プロトコルを介して、第１の発見メッセージを、第１のモバイルデバイスによって、受信することと、そこにおいて、前記第１の発見メッセージは、前記複数のモバイルデバイスのサブセットであるモバイルデバイスクラスタに特有の情報を含む、
および、
前記ネットワーク・アドバタイズメント・プロトコルとは異なる第２のクラスタプロトコルを用いて前記モバイルデバイスクラスタの少なくとも第２のモバイルデバイスと通信するために前記情報を用いることと、
を備える、方法。
［Ｃ２］
前記複数のモバイルデバイスは近傍アウェアネットワーク（ＮＡＮ）を形成する、Ｃ１に記載の方法。
［Ｃ３］
前記モバイルデバイスクラスタは、共通のモバイルデバイス・アプリケーションを実行するように構成されたモバイルデバイスを備える、Ｃ１に記載の方法。
［Ｃ４］
前記共通のモバイルデバイス・アプリケーションは、ソーシャルネットワーキング・モバイルデバイス・アプリケーション、ゲーム・モバイルデバイス・アプリケーション、または、それらの組合せである、Ｃ３に記載の方法。
［Ｃ５］
前記情報は、前記モバイルデバイスクラスタと関連する無線チャネルを示す情報、前記モバイルデバイスクラスタと関連するタイミングパラメータを示す情報、前記モバイルデバイスクラスタのネットワークサイズを示す情報、または、前記共通のモバイルデバイス・アプリケーションを示す情報から成るグループから選択される、Ｃ３に記載の方法。
［Ｃ６］
前記第２のモバイルデバイスと通信することは、前記モバイルデバイスクラスタと関連する追加の情報に関して前記第２のモバイルデバイスに問い合わせること、前記モバイルデバイスクラスタに加わること、前記第２のクラスタプロトコルを介して前記モバイルデバイスクラスタに通知する第２の発見メッセージを送信すること、または、それらの組合せを含む、Ｃ５に記載の方法。
［Ｃ７］
前記第２の発見メッセージを送信することは、前記ネットワーク・アドバタイズメント・プロトコルを介して前記第２の発見メッセージを送信するために前記モバイルデバイスクラスタの他のデバイスと競合することを含む、Ｃ６に記載の方法。
［Ｃ８］
前記第２のクラスタプロトコルを介して前記第２の発見メッセージを送信するために競合することは、
発見インターバルと関連する開始時刻において、前記第２の発見メッセージを送信するために低電力状態からアウェイクすることと、
前記発見インターバルにおいて前記第２の発見メッセージを送信するために前記発見インターバル内でランダムに抽出された時刻を選択することと、
前記第２のクラスタプロトコルを介して前記第２の発見メッセージを送信するために前記モバイルデバイスクラスタの他のモバイルデバイスと競合すること、
を含む、Ｃ７に記載の方法。
［Ｃ９］
前記第２の発見メッセージを送信するために競合することは、搬送波感知多重アクセス（ＣＳＭＡ）技術に従って実行される、Ｃ８に記載の方法。
［Ｃ１０］
前記第１の発見メッセージを受信することに応答して、発見インターバルの間に、前記ネットワーク・アドバタイズメント・プロトコルを介して発見メッセージを送信するために前記複数のモバイルデバイスのうちの他のデバイスと競合することと、
前記モバイルデバイスクラスタのモバイルデバイスが前記モバイルデバイスクラスタと関連する第２の発見メッセージを送信する場合、前記発見インターバルの残りの間競合を停止することと、
前記モバイルデバイスクラスタに含まれない第２のモバイルデバイスクラスタのモバイルデバイスが第３の発見メッセージを送信する場合、前記発見インターバルの残りの間または前記モバイルデバイスクラスタのモバイルデバイスが発見メッセージを送信するまで競合を継続すること、
をさらに備える、Ｃ１に記載の方法。
［Ｃ１１］
前記発見メッセージを送信するために競合することは搬送波感知多重アクセス（ＣＳＭＡ）技術に従って実行される、Ｃ１０に記載の方法。
［Ｃ１２］
前記第１の発見メッセージは発見ビーコンである、Ｃ１に記載の方法。
［Ｃ１３］
前記ネットワーク・アドバタイズメント・プロトコルを介して第２の発見メッセージを受信することと、そこにおいて、前記第２の発見メッセージは、前記複数のモバイルデバイスの第２のサブセットである第２のモバイルデバイスクラスタに特有の第２の情報を含む、
前記第２のモバイルデバイスクラスタの少なくとも第３のモバイルデバイスと通信するために前記第２の情報を用いることと、
をさらに備える、Ｃ１に記載の方法。
［Ｃ１４］
前記ネットワーク・アドバタイズメント・プロトコルは、前記第２のクラスタプロトコルと関連する第２の無線チャネルとは異なる第１の無線チャネルと関連し、そこにおいて、前記ネットワーク・アドバタイズメント・プロトコルは、前記第２のクラスタプロトコルと関連する第２のタイミングパラメータとは異なる第１のタイミングパラメータと関連し、そこにおいて、前記第１の発見メッセージは、前記第２の無線チャネルと前記第２のタイミングパラメータを示す、Ｃ１に記載の方法。
［Ｃ１５］
前記第２のモバイルデバイスと通信することは、
前記第１の発見メッセージを受信することに応答して、前記第１のチャネルから前記第２のチャネルへ前記第１のモバイルデバイスのトランシーバを合わせることと、
前記第２のチャネルを介して前記第２のタイミングパラメータによって決定された時刻に前記第２のモバイルデバイスから第２の発見メッセージを受信し、および前記第２のクラスタプロトコルを用いることと、
を含む、Ｃ１４に記載の方法。
［Ｃ１６］
他のモバイルデバイスと通信するモバイルデバイスであって、
プロセッサと、
前記プロセッサに結合され、
および、
複数のモバイルデバイスに共通のネットワーク・アドバタイズメント・プロトコルを介して第１の発見メッセージを受信するために、そこにおいて、前記第１の発見メッセージは、前記複数のモバイルデバイスのサブセットであるモバイルデバイスクラスタに特有の情報を含む、
および、
前記ネットワーク・アドバタイズメント・プロトコルとは異なる第２のクラスタプロトコルを用いて前記モバイルデバイスクラスタの少なくとも第２のモバイルデバイスと通信するために前記情報を用いるために、
前記プロセッサによって実行可能な命令を格納する、
メモリと、
を備える、モバイルデバイス。
［Ｃ１７］
モバイルデバイスの間の通信の方法であって、
複数のモバイルデバイスに共通のネットワーク・アドバタイズメント・プロトコルを介して、第１の発見メッセージを、第１のモバイルデバイスによって、送信することと、そこにおいて、前記第１の発見メッセージは、前記複数のモバイルデバイスのサブセットであるモバイルデバイスクラスタに特有の情報を含む、
および、
前記ネットワーク・アドバタイズメント・プロトコルとは異なる第２のクラスタプロトコルを用いて前記モバイルデバイスクラスタに特有の前記情報に基づいて送信された第２のモバイルデバイスからのメッセージを受信することと、
を備える、方法。
［Ｃ１８］
前記複数のモバイルデバイスは近傍アウェアネットワーク（ＮＡＮ）を形成する、Ｃ１７に記載の方法。
［Ｃ１９］
前記モバイルデバイスクラスタは、共通のモバイルデバイス・アプリケーションを実行するように構成されたモバイルデバイスを備える、Ｃ１７に記載の方法。
［Ｃ２０］
前記共通のモバイルデバイス・アプリケーションは、ソーシャルネットワーキング・モバイルデバイス・アプリケーション、ゲーム・モバイルデバイス・アプリケーション、または、それらの組合せである、Ｃ１９に記載の方法。
［Ｃ２１］
前記情報は、前記モバイルデバイスクラスタと関連する無線チャネルを示す情報、前記モバイルデバイスクラスタと関連するタイミングパラメータを示す情報、前記モバイルデバイスクラスタのネットワークサイズを示す情報、または、前記共通のモバイルデバイス・アプリケーションを示す情報から成るグループから選択される、Ｃ１９に記載の方法。
［Ｃ２２］
前記第２のモバイルデバイスからの前記メッセージは前記モバイルデバイスクラスタと関連する追加の情報に関する問い合わせを含む、Ｃ１７に記載の方法。
［Ｃ２３］
前記第１の発見メッセージを送信することは前記ネットワーク・アドバタイズメント・プロトコルを介して前記第１の発見メッセージを送信するために前記モバイルデバイスクラスタの他のデバイスと競合することを含む、Ｃ１７に記載の方法。
［Ｃ２４］
前記第２のクラスタプロトコルを介して前記モバイルデバイスクラスタに通知する第２の発見メッセージを送信することをさらに備え、そこにおいて、前記第２の発見メッセージを送信するために競合することは、
発見インターバルと関連する開始時刻において、前記第２の発見メッセージを送信するために低電力状態からアウェイクすることと、
前記発見インターバルにおいて前記第２の発見メッセージを送信するために前記発見インターバル内でランダムに抽出された時刻を選択することと、
前記第２のクラスタプロトコルを介して前記第２の発見メッセージを送信するために前記モバイルデバイスクラスタの他のモバイルデバイスと競合することと、
を含む、
Ｃ１７に記載の方法。
［Ｃ２５］
前記第２の発見メッセージを送信するために競合することは、搬送波感知多重アクセス（ＣＳＭＡ）技術に従って実行される、Ｃ２４に記載の方法。
［Ｃ２６］
前記第１の発見メッセージを送信することは、
発見インターバルの間に、前記ネットワーク・アドバタイズメント・プロトコルを介して発見メッセージを送信するために前記複数のモバイルデバイスのうちの他のデバイスと競合することと、
前記モバイルデバイスクラスタのモバイルデバイスが前記モバイルデバイスクラスタと関連する第２の発見メッセージを送信する場合、前記発見インターバルの残りの間競合を停止することと、
前記モバイルデバイスクラスタに含まれない第２のモバイルデバイスクラスタのモバイルデバイスが第３の発見メッセージを送信する場合、前記発見インターバルの残りの間または前記モバイルデバイスクラスタのモバイルデバイスが発見メッセージを送信するまで競合を継続すること、
を含む、
Ｃ１７に記載の方法。
［Ｃ２７］
前記発見メッセージを送信するために競合することは搬送波感知多重アクセス（ＣＳＭＡ）技術に従って実行される、Ｃ２６に記載の方法。
［Ｃ２８］
前記第１の発見メッセージは発見ビーコンである、Ｃ１７に記載の方法。
［Ｃ２９］
前記ネットワーク・アドバタイズメント・プロトコルを介して第２の発見メッセージを受信することと、そこにおいて、前記第２の発見メッセージは、前記複数のモバイルデバイスの第２のサブセットである第２のモバイルデバイスクラスタに特有の第２の情報を含む、
前記第２のモバイルデバイスクラスタの少なくとも第３のモバイルデバイスと通信するために前記第２の情報を用いること、
をさらに備える、Ｃ１７に記載の方法。
［Ｃ３０］
前記ネットワーク・アドバタイズメント・プロトコルは、前記第２のクラスタプロトコルと関連する第２の無線チャネルとは異なる第１の無線チャネルと関連し、そこにおいて、前記ネットワーク・アドバタイズメント・プロトコルは、前記第２のクラスタプロトコルと関連する第２のタイミングパラメータとは異なる第１のタイミングパラメータと関連し、そこにおいて、前記第１の発見メッセージは、前記第２の無線チャネルと前記第２のタイミングパラメータを示す、Ｃ１７に記載の方法。
［Ｃ３１］
前記第１の発見メッセージを送信した後、前記第１のチャネルから前記第２のチャネルへ前記第１のモバイルデバイスのトランシーバを合わせることと、
前記第２のチャネルを介して前記第２のタイミングパラメータによって決定された時刻に第２の発見メッセージを送信し、および、前記第２のクラスタプロトコルを用いることと、
をさらに備える、Ｃ３０に記載の方法。
［Ｃ３２］
他のモバイルデバイスと通信するモバイルデバイスであって、
プロセッサと、
前記プロセッサに結合され、
および
複数のモバイルデバイスに共通のネットワーク・アドバタイズメント・プロトコルを介して第１の発見メッセージを送信するために、そこにおいて、前記第１の発見メッセージは、前記複数のモバイルデバイスのサブセットであるモバイルデバイスクラスタに特有の情報を含む、
および、
前記ネットワーク・アドバタイズメント・プロトコルとは異なる第２のクラスタプロトコルを用いて前記モバイルデバイスクラスタに特有の前記情報に基づいて送信された第２のモバイルデバイスからのメッセージを受信するために、
前記プロセッサによって実行可能な命令を格納する、
メモリと、
を備える、モバイルデバイス。
［Ｃ３３］
コンピュータによって実行された時、モバイルデバイスの間の通信の方法を実行することを前記コンピュータにさせる命令を備えるコンピュータ可読媒体であって、
前記方法は、
複数のモバイルデバイスに共通のネットワーク・アドバタイズメント・プロトコルを介して、第１の発見メッセージを、第１のモバイルデバイスによって、受信することと、そこにおいて、前記第１の発見メッセージは、前記複数のモバイルデバイスのサブセットであるモバイルデバイスクラスタに特有の情報を含む、
前記ネットワーク・アドバタイズメント・プロトコルとは異なる第２のクラスタプロトコルを用いて前記モバイルデバイスクラスタの少なくとも第２のモバイルデバイスと通信するために前記情報を用いること、
を備える、
コンピュータ可読媒体。
［Ｃ３４］
コンピュータによって実行された時、モバイルデバイスの間の通信の方法を実行することを前記コンピュータにさせる命令を備えるコンピュータ可読媒体であって、
前記方法は、
複数のモバイルデバイスに共通のネットワーク・アドバタイズメント・プロトコルを介して、第１の発見メッセージを、第１のモバイルデバイスによって、送信することと、そこにおいて、前記第１の発見メッセージは、前記複数のモバイルデバイスのサブセットであるモバイルデバイスクラスタに特有の情報を含む、
前記ネットワーク・アドバタイズメント・プロトコルとは異なる第２のクラスタプロトコルを用いて前記モバイルデバイスクラスタに特有の前記情報に基づいて送信された第２のモバイルデバイスからのメッセージを受信することと、
を備える、
コンピュータ可読媒体。
［Ｃ３５］
モバイルデバイスの間で通信するための装置であって、
複数のモバイルデバイスに共通のネットワーク・アドバタイズメント・プロトコルを介して、第１の発見メッセージを受信するための手段と、そこにおいて、前記第１の発見メッセージは、前記複数のモバイルデバイスのサブセットであるモバイルデバイスクラスタに特有の情報を含む、
前記ネットワーク・アドバタイズメント・プロトコルとは異なる第２のクラスタプロトコルを用いて前記モバイルデバイスクラスタの少なくとも第２のモバイルデバイスと通信するために前記情報を用いるための手段と、
を備える、装置。
［Ｃ３６］
モバイルデバイスの間で通信するための装置であって、
複数のモバイルデバイスに共通のネットワーク・アドバタイズメント・プロトコルを介して、第１の発見メッセージを送信するための手段と、そこにおいて、前記第１の発見メッセージは、前記複数のモバイルデバイスのサブセットであるモバイルデバイスクラスタに特有の情報を含む、
前記ネットワーク・アドバタイズメント・プロトコルとは異なる第２のクラスタプロトコルを用いて前記モバイルデバイスクラスタに特有の前記情報に基づいて送信された第２のモバイルデバイスからのメッセージを受信するための手段と、
を備える、装置。